(57)【要約】【課題】イオン発生装置の交換時期を正確に検知するイオン送出装置を提供する。【解決手段】イオンを発生するとともに固有のＩＤ番号を発信するＩＤ発信部２８を有したイオン発生装置２０と、ＩＤ発信部２８から発信されたＩＤ番号を記憶する記憶部４４と、イオン発生装置２０の駆動時間を計時する第１タイマー４５と、第１タイマー４５のリセット操作を行う操作部４８と、第１タイマー４５の積算時間がイオン発生装置２０の交換時期に到達した際に報知する報知部１５とを備え、イオン発生装置１０のＩＤ番号が記憶部４４に記憶されたＩＤ番号に一致しないときに操作部４８による第１タイマー４５のリセット操作を受け付けるとともに第１タイマー４５のリセット操作によって報知部１５の報知状態を解除し、イオン発生装置２０のＩＤ番号が記憶部４４に記憶されたＩＤ番号に一致するときに操作部４８による第１タイマー４５のリセット操作を禁止した。【選択図】図９
2011019782.tif 000002
【特許請求の範囲】
【請求項１】
本体部に開口する吸込口と吹出口とを連通させる送風通路と、前記送風通路内に配される送風ファンと、前記送風通路に面してイオンを発生するとともに固有のＩＤ番号を発信するＩＤ発信部を有したイオン発生装置と、前記ＩＤ発信部から発信されたＩＤ番号を記憶する記憶部と、前記イオン発生装置の駆動時間を計時する第１タイマーと、第１タイマーのリセット操作を行う操作部と、第１タイマーの積算時間が前記イオン発生装置の交換時期に到達した際に報知する報知部とを備え、前記送風ファンの駆動により前記吸込口から前記送風通路に流入した居室内の空気に前記イオン発生装置で発生したイオンを混合して前記吹出口から送出するイオン送出装置において、
前記イオン発生装置のＩＤ番号が前記記憶部に記憶されたＩＤ番号に一致しないときに前記操作部による第１タイマーのリセット操作を受け付けるとともに第１タイマーのリセット操作によって前記報知部の報知状態を解除し、前記イオン発生装置のＩＤ番号が前記記憶部に記憶されたＩＤ番号に一致するときに前記操作部による第１タイマーのリセット操作を禁止したことを特徴とするイオン送出装置。
【請求項２】
前記操作部による第１タイマーのリセット操作を行った際に、前記イオン発生装置のＩＤ番号を前記記憶部に記憶したことを特徴とする請求項１に記載のイオン送出装置。
【請求項３】
前記イオン発生装置を複数設け、全ての前記イオン発生装置のＩＤ番号が前記記憶部に記憶されたＩＤ番号に含まれないときに前記操作部による第１タイマーのリセット操作を受け付けることを特徴とする請求項１または請求項２に記載のイオン送出装置。
【請求項４】
前記イオン発生装置の交換時期に到達後、所定時間が経過した際に前記報知部を異なる報知状態にしたことを特徴とする請求項１〜請求項３のいずれかに記載のイオン送出装置。
【請求項５】
前記吸込口に配されて塵埃を捕集するフィルターと、前記送風ファンの駆動時間を計時する第２タイマーとを備え、第２タイマーの積算時間が前記フィルターの清掃時期に到達した際に、前記報知部により報知して前記操作部による第２タイマーのリセット操作によって前記報知部の報知状態を解除するとともに、前記フィルターの清掃時期の到達前に前記操作部による第２タイマーのリセット操作を禁止し、前記操作部による第１タイマーのリセット操作時に第２タイマーの計時に拘わらず第２タイマーをリセットしたことを特徴とする請求項１〜請求項４のいずれかに記載のイオン送出装置。
【発明の詳細な説明】
【技術分野】
【０００１】
本発明は、居室内にイオンを送出するイオン送出装置に関する。
【背景技術】
【０００２】
従来のイオン送出装置は特許文献１に開示されている。このイオン送出装置は居室の天井壁に配される本体部を有し、本体部の下面に吸込口及び吹出口が居室に面して開口する。本体部内には吸込口及び吹出口とを連結する送風通路が設けられ、送風通路内に送風ファンが配される。また、本体部の上方には送風通路に面してイオンを発生するイオン発生装置が設けられる。イオン発生装置は電極に高電圧を印加して放電によりイオンを発生する。
【０００３】
送風ファンを駆動すると居室内の空気が吸込口から送風通路に流入する。送風通路を流通する空気にはイオン発生装置で発生したイオンが混合され、吹出口からイオンを含む空気が送出される。これにより、居室内にマイナスイオンを送出して人体内の活性酸素の低減等を図ることができる。
【０００４】
イオンを発生するイオン発生装置は高電圧が印加されるため長期間の使用によって劣化してイオン発生量が減少する。このため、イオン発生装置の駆動時間をタイマーで計時して積算時間が所定の交換時期に到達した際に交換時期であることがインジケータ等の報知部によって報知される。
【０００５】
使用者は報知部による報知を認知してイオン発生装置を交換し、所定の操作によってタイマーをリセットする。交換後のイオン発生装置はタイマーによって駆動時間が新たに積算される。これにより、常に所定のイオン発生量を確保し、安定してイオンを送出することができる。
【先行技術文献】
【特許文献】
【０００６】
【特許文献１】特開２００４−３０９０４７号公報（第３頁−第５頁、第２図）
【発明の概要】
【発明が解決しようとする課題】
【０００７】
しかしながら、上記従来のイオン送出装置によると、イオン発生装置の交換時期に到達する前に使用者が誤ってタイマーのリセット操作を行う場合がある。このため、タイマーの積算時間が不正確になり、イオン発生装置の交換時期を正確に検知できない。これにより、イオン発生装置が劣化しても報知されずに使用が継続され、イオン発生量が減少する問題があった。
【０００８】
また、イオン発生装置の交換時期の到達前にタイマーのリセット操作を禁止すると、使用者の誤操作によるリセットを回避することができる。しかし、このようにするとイオン発生装置の交換時期に到達する前にイオン発生装置を故障等によって交換した際にタイマーのリセット操作ができない。このため、交換されたイオン発生装置の交換時期を正確に検知できず、積算時間が短くても交換時期と判断される。従って、イオン送出装置の利便性が悪い問題があった。
【０００９】
本発明は、イオン発生装置の交換時期を正確に検知してイオンを安定して送出できるとともに利便性を向上できるイオン送出装置を提供することを目的とする。
【課題を解決するための手段】
【００１０】
上記目的を達成するために本発明は、本体部に開口する吸込口と吹出口とを連通させる送風通路と、前記送風通路内に配される送風ファンと、前記送風通路に面してイオンを発生するとともに固有のＩＤ番号を発信するＩＤ発信部を有したイオン発生装置と、前記ＩＤ発信部から発信されたＩＤ番号を記憶する記憶部と、前記イオン発生装置の駆動時間を計時する第１タイマーと、第１タイマーのリセット操作を行う操作部と、第１タイマーの積算時間が前記イオン発生装置の交換時期に到達した際に報知する報知部とを備え、前記送風ファンの駆動により前記吸込口から前記送風通路に流入した居室内の空気に前記イオン発生装置で発生したイオンを混合して前記吹出口から送出するイオン送出装置において、
前記イオン発生装置のＩＤ番号が前記記憶部に記憶されたＩＤ番号に一致しないときときに前記操作部による第１タイマーのリセット操作を受け付けるとともに第１タイマーのリセット操作によって前記報知部の報知状態を解除し、前記イオン発生装置のＩＤ番号が前記記憶部に記憶されたＩＤ番号に一致するときに前記操作部による第１タイマーのリセット操作を禁止したことを特徴としている。
【００１１】
この構成によると、送風ファンを駆動すると居室内の空気が吸込口から本体部内の送風通路に流入する。送風通路を流通する空気にはイオン発生装置で発生したイオンが混合され、吹出口からイオンを含む空気が送出される。イオン発生装置は第１タイマーによって駆動時間が計時される。第１タイマーの積算時間がイオン発生装置の交換時期に到達すると報知部により交換時期であることが報知される。使用者は報知部の報知を認知してイオン発生装置を交換し、第１タイマーを操作部の操作によってリセットする。この時、イオン発生装置のＩＤ発信部から発信された固有のＩＤ番号が記憶部に記憶されたＩＤ番号と比較される。ＩＤ発信部から発信されたＩＤ番号が記憶部に記憶されていない場合にリセット操作が受け付けられ、ＩＤ番号を記憶部に記憶する。また、イオン発生装置のＩＤ番号が既に記憶部に記憶されている場合には第１タイマーのリセット操作が禁止される。これにより、報知部による報知が継続される。
【００１２】
また本発明は、上記構成のイオン送出装置において、前記操作部による第１タイマーのリセット操作を行った際に、前記イオン発生装置のＩＤ番号を前記記憶部に記憶したことを特徴としている。この構成によると、イオン発生装置を交換し、リセット操作を行う前にイオン発生装置が外れても再度取り付けてリセット操作を行うことができる。
【００１３】
また本発明は、上記構成のイオン送出装置において、前記イオン発生装置を複数設け、全ての前記イオン発生装置のＩＤ番号が前記記憶部に記憶されたＩＤ番号に含まれないときに前記操作部による第１タイマーのリセット操作を受け付けることを特徴としている。この構成によると、複数のイオン発生装置を同時に交換して第１タイマーのリセットが行われる。一部のイオン発生装置を交換した場合は第１タイマーのリセットが禁止され、未交換のイオン発生装置の交換時期になると報知部で報知される。
【００１４】
また本発明は、上記構成のイオン送出装置において、前記イオン発生装置の交換時期に到達した後、所定時間が経過した際に前記報知部を異なる報知状態にしたことを特徴としている。この構成によると、イオン発生装置の交換時期に到達すると報知部は例えばＬＥＤ等を点滅して報知し、更に所定時間が経過するとＬＥＤの点滅周期を短くする。これにより、使用者に対して早期の交換を促すことができる。
【００１５】
また本発明は、上記構成のイオン送出装置において、前記吸込口に配されて塵埃を捕集するフィルターと、前記送風ファンの駆動時間を計時する第２タイマーとを備え、第２タイマーの積算時間が前記フィルターの清掃時期に到達した際に、前記報知部により報知して前記操作部による第２タイマーのリセット操作によって前記報知部の報知状態を解除するとともに、前記フィルターの清掃時期の到達前に前記操作部による第２タイマーのリセット操作を禁止し、前記操作部による第１タイマーのリセット操作時に第２タイマーの計時に拘わらず第２タイマーをリセットしたことを特徴としている。
【００１６】
この構成によると、送風ファンの駆動によって吸込口から送風経路に流入する空気の塵埃がフィルターによって捕集される。送風ファンは第２タイマーによって駆動時間が計時される。第２タイマーの積算時間が所定のフィルターの清掃時期に到達すると報知部により清掃時期であることが報知される。使用者は報知部の報知を認知してフィルターを清掃し、第２タイマーを操作部の操作によってリセットする。フィルターの清掃時期に到達する前は第２タイマーのリセット操作が禁止され、誤操作が防止される。また、操作部によって第１タイマーをリセットすると、第２タイマーがフィルターの清掃時期に到達する前であっても同時にリセットされる。イオン発生装置の交換時には本体部内が開放されるため、一般にフィルターの清掃も同時に行われる。このため、イオン発生装置の交換時に第２タイマーをリセットしてフィルターの清掃時期を正確に検知することができる。
【発明の効果】
【００１７】
本発明によると、イオン発生装置のＩＤ番号を記憶部に記憶し、イオン発生装置の交換時期を計時する第１タイマーのリセット操作をイオン発生装置のＩＤ番号が記憶部に記憶されたＩＤ番号に一致しないときに受け付けて一致するときに禁止する。これにより、イオン発生装置の使用継続中に第１タイマーのリセット操作が禁止され、リセット操作の誤操作を防止することができる。また、イオン発生装置を交換時期に到達する前に交換した場合に、新規のＩＤ番号の検知によって第１タイマーをリセットすることができる。従って、イオン発生装置の交換時期を正確に検知してイオンを安定して送出できるとともに、イオン送出装置の利便性を向上することができる。
【００１８】
また、作業者の操作によって第１タイマーをリセットするので、イオン発生装置の点検等のために一時的に他のイオン発生装置を着脱した後に元のイオン発生装置を取り付けた場合でも、第１タイマーをリセットせずに継続して計時させることができる。従って、イオン発生装置の交換時期を正確に検知することができる。
【図面の簡単な説明】
【００１９】
【図１】本発明の実施形態のイオン送出装置の取付け状態を示す斜視図
【図２】本発明の実施形態のイオン送出装置の取付け状態を示す側面断面図
【図３】本発明の実施形態のイオン送出装置の前面側から見た分解斜視図
【図４】本発明の実施形態のイオン送出装置の背面側から見た分解斜視図
【図５】本発明の実施形態のイオン送出装置の前面パネルを開いた状態を示す側面断面図
【図６】本発明の実施形態のイオン送出装置のイオン発生装置を示す分解斜視図
【図７】本発明の実施形態のイオン送出装置の構成を示すブロック図
【図８】本発明の実施形態のイオン送出装置のフィルター清掃時期監視処理の動作を示すフローチャート
【図９】本発明の実施形態のイオン送出装置のイオン発生装置交換時期監視処理の動作を示すフローチャート
【発明を実施するための形態】
【００２０】
以下に本発明の実施形態を図面を参照して説明する。図１は一実施形態のイオン送出装置１の取付け状態を示す斜視図である。イオン送出装置１は居室の天井壁Ａに取り付けられ、前面を覆う前面パネル２が居室に面して配される。前面パネル２の中央部には吸込口３が開口し、吸込口３の周囲に吹出口４が設けられる。
【００２１】
図２はイオン送出装置１の側面断面図を示している。また、図３、図４はイオン送出装置１を前面から見た分解斜視図及び背面から見た分解斜視図を示している。イオン送出装置１は天井壁Ａ内に取り付けられる本体部１０を有し、本体部１０の前面の開口部が前面パネル２により覆われる。本体部１０は金属製の外ケース１０ａの内部に樹脂成形品から成る内ケース１８が取り付けられ、外ケース１０ａの開口側周縁が天井壁Ａにネジ止めされる。
【００２２】
外ケース１０ａの一端部には係合孔１０ｂを有する係合部材１０ｃが取り付けられる。前面パネル２の一端には水平移動する操作ボタン５が設けられる。操作ボタン５は前面パネル２から突出する方向に付勢される。操作ボタン５の後端には上方に突出して係合孔１０ｂを介して係合部材１０ｃに係合する断面Ｌ字状の爪部５ａが設けられる。
【００２３】
外ケース１０ａの他端部には挿通孔（不図示）を有した内ケース１８と一体の係合部材１８ａが配される。前面パネル２の他端にはＶ字状の捻りバネ６の支点部分が遊着される。捻りバネ６の先端には外側に向けて突出して巻回される係止部６ａが形成される。
【００２４】
前面パネル２は捻りバネ６の先端を閉じた状態で係合部材１８ａの挿通孔に挿通し、操作ボタン５の爪部５ａが係合部材１０ｃの係合孔１０ｂに係合して本体部１０に取り付けられる。この時、捻りバネ６は係合部材１８ａよりも上方で弾性力によって広がり、前面パネル２と本体部１０との接合状態が維持される。
【００２５】
操作ボタン５の押圧によって爪部５ａを係合孔１０ｃから脱離させて前面パネル２が引き出される。これにより、図５に示すように係止部６ａが係合部材１８ａに係止され、前面パネル２が捻りバネ６によって吊り下げられる。
【００２６】
前面パネル２は水平移動する操作部５の爪部５ａにより一端が係合して係合部材１８ａの上方で広がる捻りバネ６で他端が保持されるので、操作ボタン５の押圧によって前面パネル２を容易に開くことができる。また、前面パネル２を開いた際に捻りバネ６の長さに応じて本体部１０の開口面から離すことができる。これにより、前面パネル２が邪魔にならず本体部１０内のメンテナンスを容易に行うことができる。
【００２７】
また、操作ボタン５の爪部５ａは前面パネル２を上方に押圧して係合孔１０ｂに挿入され、係合部材１０ｃ上を摺動して係合孔１０ｂに係合する。このため、前面パネル２の上面と天井壁Ａとの間には上下方向の隙間が形成される。前面パネル２の周面２ａの上端には面取り２ｂが施される。面取り２ｂによって前面パネル２の周囲の天井壁Ａに影を形成し、前面パネル２と天井壁Ａとの隙間を目立たなくすることができる。従って、イオン送出装置１の美感を向上することができる。
【００２８】
尚、係合部材１０ｃと摺接する爪部５ａの摺接面を傾斜面にしてもよい。これにより、係合孔１０ｂに挿入された爪部５ａが水平方向に付勢されると傾斜面から成る摺接面が係合孔１０ｂの端縁と摺接して前面パネル２を上方に引き上げる。これにより、前面パネル２と天井壁Ａとの隙間をなくしてイオン送出装置１の美感を向上することができる。
【００２９】
内ケース１８は吸込口３と吹出口４とを連結する送風通路１２の上部を形成し、送風通路１２内に送風ファン１１を保持する。送風ファン１１は軸流ファンから成り、吸気側を吸込口３に面して配される。送風通路１２は送風ファン１１の背面の排気側から送風ファン１１の周囲を通って吹出口４まで延びて形成される。
【００３０】
内ケース１８の一側部には吹出口４に面してインジケータ１５が設けられる。インジケータ１５は青色、緑色、赤色等で発光する複数のＬＥＤから成り、イオン送出装置１の動作状態や警告等を報知する報知部を構成する。
【００３１】
内ケース１８の前面には樹脂成形品から成るグリル３０が配される。グリル３０には吸込口３及び吹出口４に対向する開口部３３、３４が設けられる。開口部３３と吸込口３との間には吸込口３から本体部１０内に流入する空気中の塵埃を捕集するフィルター（不図示）が設けられる。
【００３２】
グリル３０の上面には仕切リブ３０ａが突設される。仕切リブ３０ａによって送風通路１２の下部が形成される。また、仕切リブ３０ａは送風ファン１１の排気側の送風通路１２を分岐する複数の分岐通路１２ａを本体部１０の周部に形成する。本実施形態では４つの分岐通路１２ａが形成される。
【００３３】
グリル３０は送風ファン１１の外側で分岐通路１２ａ間の対向する二箇所にクリップ３７が突設される。クリップ３７は弾性変形して内ケース１８に突設した突出リブ１７に係合し、グリル３０が本体部１０に保持される。クリップ３７の先端が弾性によって互いに近づく方向に傾倒すると、クリップ３７と突出リブ１７との係合が解除される。これにより、クリップ３７の先端を手指で摘持してグリル３０を本体部１０から取り外すことができ、本体部１０内のメンテナンスを容易に行うことができる。
【００３４】
内ケース１８には送風通路１２に面して２つのイオン発生装置２０を保持する保持部１３が対向する二箇所に設けられる。保持部１３はイオン発生装置２０の背面を支持する背面部１３ａとイオン発生装置２０の正面側に配されて下面に係合する係合爪１３ｂとを有している。背面部１３ａに沿ってイオン発生装置２０を挿入すると、係合爪１３ｂが挿入方向に垂直な方向に弾性変形してイオン発生装置２０の下面に係合する。これにより、イオン発生装置２０が落下を防止して保持される。
【００３５】
図６はイオン発生装置２０の分解斜視図を示している。イオン発生装置２０はイオン発生素子２４の正面側と背面側とをそれぞれカバー２１、２２により覆って形成される。カバー２１、２２はそれぞれ周面に設けた係合孔２１ｃと係合突起２２ｃとの係合により接合される。
【００３６】
イオン発生素子２４はイオンを発生する電極部２５、２６を有している。正面側のカバー２１には電極部２５、２６に対向する孔部２１ｄ、２１ｅが設けられる。電極部２５、２６は所定距離だけ離隔して設けられ、それぞれ針状の放電電極２５ａ、２６ａと放電電極２５ａ、２６ａの周囲に配される環状の誘導電極２５ｂ、２６ｂとを有している。
【００３７】
放電電極２５ａには誘導電極２５ｂに対して正極性の高電圧が印加され、放電電極２６ａには誘導電極２６ｂに対して負極性の高電圧がそれぞれ印加される。これにより、放電電極２５ａと誘導電極２５ｂとの間にはコロナ放電により主に空気中の水分が電離してＨ+イオンが発生する。また、放電電極２６ａと誘導電極２６ｂとの間にはコロナ放電により主に空気中の酸素が電離してＯ2-イオンが発生する。
【００３８】
電極部２５から電離により発生したＨ+イオンは空気中の水分と結合してＨ+（Ｈ2Ｏ）ｍから成る電荷が正のクラスタイオンを形成する。電極部２６から電離により発生するＯ2-イオンは空気中の水分と結合してＯ2-（Ｈ2Ｏ）ｎから成る電荷が負のクラスタイオンを形成する。ここで、ｍ、ｎは任意の自然数である。従って、電極部２５はプラスイオンを発生するプラスイオン部を構成し、電極部２６はマイナスイオンを発生するマイナスイオン部を構成する。
【００３９】
Ｈ+（Ｈ2Ｏ）ｍ及びＯ2-（Ｈ2Ｏ）ｎは空気中の浮遊菌や臭い成分及び貯蔵物の付着菌の表面で凝集してこれらを取り囲む。そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分等を破壊する。ここで、ｍ’、ｎ’は任意の自然数である。従って、主としてＨ+（Ｈ2Ｏ）ｍから成るプラスイオンと主としてＯ2-（Ｈ2Ｏ）ｎから成るマイナスイオンとを発生して吹出口４から送出することにより室内の殺菌及び臭い除去を行うことができる。
【００４０】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ    ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００４１】
尚、カバー２１の孔部２１ｄ、２１ｅの内縁は環状の誘導電極２５ｂ、２６ｂよりも内側に配され、孔部２１ｄ、２１ｅが誘導電極２５ｂ、２６ｂよりも小さく形成される。これにより、イオン発生装置２０を把持した際に放電電極２５ａ、２６ａ及び誘導電極２５ｂ、２６ｂと手指との接触が防止される。従って、各電極に異物が付着することによるイオン発生素子２４の劣化を防止することができる。
【００４２】
また、イオン発生素子２４は放電電極２５ａ、２６ａ及び環状の誘導電極２５ｂ、２６ｂを有しているが、他の構成であってもよい。例えば、誘導電極を省いてもよく、平面状の放電電極を設けてもよい。
【００４３】
プラスイオンを発生する電極部２５（プラスイオン部）とマイナスイオンを発生する電極部２６（マイナスイオン部）とは隣接した異なる分岐通路１２ａにそれぞれ面して配される。これにより、プラスイオンとマイナスイオンとの衝突による消滅を低減して吹出口４から送出されるイオンの減少を防止することができる。
【００４４】
また、本体部１０の一方の対角上に２つのイオン発生装置２０の電極部２５が対向配置され、他方の対角上に２つのイオン発生装置２０の電極部２６が対向配置される。これにより、イオン送出装置１からプラスイオン及びマイナスイオンをそれぞれ分散して送出し、居室内の殺菌や脱臭を均一に行うことができる。
【００４５】
イオン発生素子２４の上部には電極部２５、２６に導通する端子２４ａが設けられる。端子２４ａにはカバー２１、２２内に配されるリード線２７を介してコネクタ２３が接続される。
【００４６】
コネクタ２３には二箇所に柱状部２３ｂが突設され、柱状部２３ｂの周面に環状の溝部２３ａが形成される。カバー２１、２２の支持部２１ａ、２２ａには溝部２３ａに嵌合するＵ字状の切欠き部２１ｂ、２２ｂ（２１ｂは不図示）が形成される。コネクタ２３の溝部２３ａを支持部２１ａ、２２ａの切欠き部２１ｂ、２２ｂで挟持し、コネクタ２３が先端を突出してカバー２１、２２に保持される。この時、溝部２３ａと切欠き部２１ｂ、２２ｂとの間には径方向の隙間が形成され、コネクタ２３が正面側と背面側との間を傾倒可能なように遊着される。
【００４７】
イオン発生装置２０は保持部１３の背面部１３ａに沿って挿入された際にコネクタ２３が本体部１０に設けた電源供給用の端子部１９（図２参照）に差し込まれる。この時、コネクタ２３がカバー２１、２２に遊着されるため、イオン発生装置２０が保持部１３への挿入時に傾いてもコネクタ２３を確実に端子部１９に差し込むことができる。
【００４８】
また、背面側のカバー２２には保持部１３への挿入方向に延びる案内溝２２ｄ（図４参照）が形成される。保持部１３の背面部１３ａには案内溝２２ｄに嵌合する案内突起部１３ｃ（図３参照）が設けられる。案内突起部１３ｃの案内によってイオン発生装置２０の背面部１３ａに沿う方向の傾きを低減してイオン発生装置２０を容易に背面部１３ａに沿って挿入することができる。従って、コネクタ２３をより確実に端子部１９に差し込むことができる。
【００４９】
正面側のカバー２１の表面には溝部２１ｆが凹設される。溝部２１ｆはイオン発生装置２０を保持部１３に挿入する際に係合爪１３ｂ（図２参照）が摺動する軌跡上に設けられる。イオン発生装置２０の下面に係合する係合爪１３ｂを脱離させてイオン発生装置２０を取り出す際に係合爪１３ｂはカバー２１上を摺動して溝部２１ｆに係合する。
【００５０】
この時、溝部２１ｆはケース２１の表面に凹設されるため係合爪１３ｂがイオン発生装置２０の下面よりも浅い係合深さで溝部２１ｆに係合する。また、溝部２１ｆの内周面は平面または曲面の傾斜面に形成される。これにより、係合爪１３ｂが溝部２１ｆに係合した状態からイオン発生装置２０を更に引き出して取り外すことができる。
【００５１】
図７はイオン送出装置１の構成を示すブロック図である。イオン送出装置１は各部を制御するマイクロコンピュータから成る制御部４０を有している。制御部４０にはイオン発生装置２０の電極部２５、２６、イオン発生装置２０に設けたＩＤ発信部２８、送風ファン１１、インジケータ１５、電源スイッチ４１、開閉検知スイッチ４２、電源部４３、記憶部４４、イオン発生装置用タイマー４４、フィルター用タイマー４６、通信部４７が接続される。
【００５２】
イオン発生装置２０のＩＤ発信部２８は各イオン発生装置２０に固有のＩＤ番号を発信する。電源スイッチ４１は居室の側壁等に設けられ、イオン送出装置１をオンオフする。開閉検知スイッチ５２は前面パネル２の開閉を検知する。電源部４３はイオン送出装置１の各部に電力を供給する。
【００５３】
記憶部４４はＲＯＭ及びＲＡＭから成り、イオン送出装置１の動作プログラムを格納するとともに制御部４０による演算結果を一時記憶する。また、記憶部４４にはＩＤ発信部２８から発信されたイオン発生装置２０のＩＤ番号が記憶される。イオン発生装置用タイマー４５（第１タイマー）はイオン発生装置２０の駆動時間を計時し、積算時間を保持する。フィルター用タイマー４６（第２タイマー）は送風ファン１１の駆動時間を計時し、積算時間を保持する。
【００５４】
通信部４７はリモートコントローラ４８との通信を行う。リモートコントローラ４８は使用者の操作によって送風ファン１１の動作モードの変更や一時停止等を行う操作部を構成する。また、リモートコントローラ４８によってイオン発生装置用タイマー４５及びフィルター用タイマー４６のリセット操作を行うことができる。
【００５５】
上記構成のイオン送出装置１において、電源スイッチ４１の操作によってイオン発生装置２０及び送風ファン１１が駆動される。また、イオン発生装置用タイマー４５及びフィルター用タイマー４６によってイオン発生装置２０及び送風ファン１１の駆動時間が積算される。
【００５６】
送風ファン１１の駆動により居室内の空気が吸込口３から送風通路１２に流入する。送風通路１２に流入した空気は送風ファン１１の排気側で複数の分岐通路１２ａに分岐する。各分岐通路１２ａを流通する空気にはイオン発生装置２０で発生したプラスイオン及びマイナスイオンが混合される。そして、前面パネル２の周部に設けた吹出口４からイオンを含む空気が送出される。これにより、居室内の殺菌及び脱臭を行うことができる。
【００５７】
リモートコントローラ４８を操作すると、割り込み処理によって送風ファン１１及びイオン発生装置２０の一時停止を含む動作モードを可変することができる。この時、インジケータ１５によって各動作モードに対応する報知状態で報知される。
【００５８】
また、前面パネル２を開くと開閉検知スイッチ４２により検知され、割り込み処理によって送風ファン１１及びイオン発生装置２０が一時停止される。前面パネル２を閉じると、停止前の動作モードで送風ファン１１及びイオン発生装置２０の駆動が再開される。
【００５９】
イオン送出装置１の駆動中はフィルターの清掃時期及びイオン発生装置２０の交換時期を監視する動作が繰り返し行われる。図８はフィルターの清掃時期を監視するフィルター清掃時期監視処理の動作を示すフローチャートである。ステップ＃１１ではフィルターの清掃時期に到達したことを示すフラグＦ０が１か否かが判断される。フラグＦ０が１の場合はステップ＃１５に移行する。
【００６０】
フラグＦ０が０の場合はステップ＃１２でフィルター用タイマー４６の積算時間が清掃時期（ここでは１５００時間）に到達したか否かが判断される。フィルター用タイマー４６の積算時間が清掃時期に到達していない場合はフィルター清掃時期監視処理を抜け出る。そして、フィルター清掃時期監視処理の動作が繰り返される。
【００６１】
フィルター用タイマー４６の積算時間が清掃時期に到達した場合はステップ＃１３でフラグＦ０に１が代入される。ステップ＃１４では赤色のインジケータ１５が点灯し、フィルターの清掃時期であることを報知して使用者にフィルターの清掃を促す。
【００６２】
フィルターの清掃時には作業者は操作ボタン５を押圧して爪部５ａと係合部材１０ｃとの係合を解除し、捻りバネ６を支点に回動する前面パネル２を引き出す。これにより、捻りバネ６の係止部６ａが係合部材１８ａに係止されて前面パネル２が吊り下げられ、前面パネル２の開成を開閉検知スイッチ４２により検知する。この時、割り込み処理によってイオン発生装置２０及び送風ファン１１が一時停止される。
【００６３】
前面パネル２の開成によりフィルターを取り出して清掃し、前面パネル２を閉じると開閉検知スイッチ４２により前面パネル２の閉成を検知する。これにより、イオン発生装置２０及び送風ファン１１の駆動が再開される。
【００６４】
ステップ＃１５では開閉検知スイッチ４２の検知によって前面パネル２が開閉されたか否かが判断される。前面パネル２が開閉されていない場合はフィルター清掃時期監視処理を抜け出る。フィルターの清掃によって前面パネル２の開閉を検知した場合はステップ＃１６に移行する。
【００６５】
ステップ＃１６ではリモートコントローラ４８によってフィルター用タイマー４６のリセット操作が行われたか否かが判断される。リセット操作が行われていない場合はフィルター清掃時期監視処理を抜け出る。ステップ＃１５、＃１６でフィルター清掃時期監視処理を抜け出た場合は次のフィルター清掃時期監視処理でフラグＦ０が１のため、ステップ＃１１の判断によってステップ＃１５に移行する。
【００６６】
リセット操作が行われた場合はステップ＃１７でフィルター用タイマー４６がリセットされる。ステップ＃１８ではフラグＦ０に０が代入される。ステップ＃１９では赤色のインジケータ１５が消灯される。
【００６７】
図９はイオン発生装置２０の交換時期を監視するイオン発生装置交換時期監視処理の動作を示すフローチャートである。ステップ＃２１ではイオン発生装置２０の交換時期に到達したことを示すフラグＦ１の値が判別される。フラグＦ１が１の場合はステップ＃２５に移行し、フラグＦ１が２の場合はステップ＃３１に移行する。
【００６８】
フラグＦ１が０の場合はステップ＃２２でイオン発生装置用タイマー４５の積算時間が交換時期（ここでは１７５００時間）に到達したか否かが判断される。イオン発生装置用タイマー４５の積算時間が交換時期に到達していない場合はステップ＃３１に移行する。イオン発生装置用タイマー４５の積算時間が交換時期に到達した場合はステップ＃２３でフラグＦ１に１が代入される。ステップ＃２４では赤色のインジケータ１５が点滅し、イオン発生装置２０の交換時期であることを報知して使用者に交換を促す。
【００６９】
ステップ＃２５ではイオン発生装置用タイマー４５の積算時間が交換時期の到達後に更に所定時間（ここでは、１５００時間を加算して積算時間が１９０００時間）が経過したか否かが判断される。該所定時間を計時する別のタイマーを設けてもよい。所定時間が経過していない場合はステップ＃３１に移行する。所定時間が経過した場合はステップ＃２６でフラグＦ１に２が代入される。ステップ＃２７ではインジケータ１５がステップ＃２４よりも短い周期で点滅し、使用者に対してイオン発生装置２０の交換時期の注意をより喚起する。
【００７０】
イオン発生装置２０の交換時には上記と同様に、前面パネル２が開かれる。前面パネル２の開成を開閉検知スイッチ４２により検知し、割り込み処理によってイオン発生装置２０及び送風ファン１１が一時停止される。次に、グリル３０の両クリップ３７を手指で摘持してクリップ３７と突出リブ１７との係合を解除し、グリル３０を取り外す。
【００７１】
次に、作業者がイオン発生装置２０を手指で保持しながら係合爪１３ｂをイオン発生装置２０の下面から脱離させる。イオン発生装置２０を引き出すとコネクタ２３が端子部１９から外れ、係合爪１３ａがイオン発生装置２０の正面側のカバー２１上を摺動して溝部２１ｆに係合する。更にイオン発生装置２０を引き出すことによりイオン発生装置２０が取り外される。
【００７２】
イオン発生装置２０を交換して前面パネル２を閉じると開閉検知スイッチ４２により前面パネル２の閉成を検知する。これにより、イオン発生装置２０及び送風ファン１１の駆動が再開される。
【００７３】
尚、作業者がイオン発生装置２０を手指で保持するのを忘れてイオン発生装置２０の下面から係合爪１３ｂを脱離させた際に、カバー２１、２２に保持されたコネクタ２３と端子部１９との摩擦力によってイオン発生装置２０の落下が防止される。また、コネクタ２３が端子部１９から外れても係合爪１３ｂが溝部２１ｆに係合してイオン発生装置２０の落下が防止される。
【００７４】
ステップ＃３１ではイオン発生装置２０のＩＤ発信部２８から発信されたＩＤ番号を読み取り、記憶部４４に記憶されたＩＤ番号に一致するか否かが判断される。２つのイオン発生装置２０のいずれかが未交換の場合はイオン発生装置２０のＩＤ番号が記憶部４４に記憶されるＩＤ番号に一致し、イオン発生装置交換時期監視処理を抜け出る。
【００７５】
２つのイオン発生装置２０の両方のＩＤ番号が記憶部４４に記憶されるＩＤ番号に一致しない新規のＩＤ番号の場合はステップ＃３２に移行する。ステップ＃３２ではリモートコントローラ４８によってイオン発生装置用タイマー４５のリセット操作が行われたか否かが判断される。リセット操作が行われていない場合はイオン発生装置交換時期監視処理を抜け出る。これにより、イオン発生装置２０の交換時期に到達している場合はリセット操作を行うまでインジケータ１５による報知が継続される。
【００７６】
リセット操作が行われた場合はステップ＃３３でイオン発生装置用タイマー４５がリセットされる。この時、イオン発生装置２０の交換と同時にフィルターの清掃も行われたと判断してフィルター用タイマー４６がリセットされる。ステップ＃３４ではフラグＦ０に０が代入され、フラグＦ１に０が代入される。ステップ＃３５ではイオン発生装置２０のＩＤ番号が記憶部４４に記憶される。ステップ＃３６では赤色のインジケータ１５が消灯される。
【００７７】
本実施形態によると、イオン発生装置２０のＩＤ番号を記憶部４４に記憶し、イオン発生装置２０の交換時期を計時するイオン発生装置用タイマー４５（第１タイマー）のリセット操作をステップ＃３１の判断によってイオン発生装置２０のＩＤ番号が記憶部４４に記憶されたＩＤ番号に一致しないときに受け付けて一致するときに禁止する。
【００７８】
これにより、イオン発生装置２０の使用継続中にイオン発生装置用タイマー４５のリセット操作が禁止され、リセット操作の誤操作を防止することができる。また、イオン発生装置２０を交換時期に到達する前に交換した場合に、新規のＩＤ番号の検知によってイオン発生装置用タイマー４５をリセットすることができる。従って、イオン発生装置２０の交換時期を正確に検知してイオンを安定して送出できるとともに、イオン送出装置１の利便性を向上することができる。
【００７９】
また、作業者によるリモートコントローラ４８（操作部）の操作によってイオン発生装置用タイマー４５をリセットするので、イオン発生装置２０の点検等のために一時的に他のイオン発生装置２０を着脱した後に元のイオン発生装置２０を取り付けた場合でも、イオン発生装置用タイマー４５をリセットせずに継続して計時させることができる。従って、イオン発生装置２０の交換時期を正確に検知することができる。
【００８０】
また、リモートコントローラ４８（操作部）によるイオン発生装置用タイマー４５のリセット操作を行った際に、ステップ＃３５でイオン発生装置２０のＩＤ番号を記憶部４４に記憶したので、イオン発生装置２０を交換してリセット操作を行う前にイオン発生装置２０が外れても再度取り付けてリセット操作を行うことができる。従って、イオン送出装置１の利便性をより向上することができる。
【００８１】
また、複数のイオン発生装置２０の全てのＩＤ番号が記憶部４４に記憶されたＩＤ番号に含まれないときにイオン発生装置用タイマー４５のリセット操作を受け付けるので、複数のイオン発生装置２０の交換時期を正確に検知してイオンを安定して送出することができる。
【００８２】
また、イオン発生装置２０の交換時期（上記例では１７５００時間）に到達した後、所定時間（上記例では１５００時間）が経過した際にインジケータ１５（報知部）を異なる報知状態にしたので、使用者に対してより注意を喚起して交換を促すことができる。
【００８３】
また、送風ファン１１の駆動時間を計時するフィルター用タイマー４６（第２タイマー）を設け、フィルター用タイマー４６の積算時間がフィルターの清掃時期に到達した際にフィルター用タイマー４６のリセット操作を受け付けて到達前はリセット操作が禁止される。これにより、フィルターの清掃時期に到達する前に誤操作によるフィルター用タイマー４６のリセット操作が防止される。
【００８４】
また、リモートコントローラ４８によってイオン発生装置用タイマー４５をリセットすると、フィルター用タイマー４６がフィルターの清掃時期に到達する前であっても同時にリセットされる。イオン発生装置２０の交換時には本体部１０内が開放されるため、一般にフィルターの清掃も同時に行われる。このため、イオン発生装置２０の交換時にフィルター用タイマーをリセットしてフィルターの清掃時期を正確に検知することができる。
【００８５】
尚、フィルターの清掃時期とイオン発生装置２０の交換時期とが重複した場合は赤色のインジケータ１５を点滅させる。これにより、イオン発生装置用タイマー４５のリセット操作した際にフィルター用タイマー４６もリセットされてインジケータ１５が消灯する。このため、フィルターの清掃時期の報知とイオン発生装置２０の交換時期の報知とを共通のインジケータ１５を使用して行うことができる。
【００８６】
本実施形態において、図８、図９に示すフィルタ清掃時期監視処理及びイオン発生装置交換時期監視処理の動作を床面に設置されるイオン送出装置に対して行っても同様の効果を得ることができる。また、イオン発生装置２０の交換時期に到達している場合に、リセット操作を行うまでイオン発生装置２０及び送風ファン１１の駆動を停止してもよい。また、イオン発生装置２０の電極部２５、２６の両方からマイナスイオンを放出してもよい。これにより、リラクゼーション効果や人体内の活性酸素の低減等を図ることができる。
【産業上の利用可能性】
【００８７】
本発明によると、居室内にイオンを送出するイオン送出装置に利用することができる。
【符号の説明】
【００８８】
１    イオン送出装置
２    前面パネル
２ｂ  面取り
３    吸込口
４    吹出口
５    操作ボタン
５ａ  爪部
６    捻りバネ
１０    本体部
１０ａ  外ケース
１０ｃ  係合部材
１１    送風ファン
１２    送風通路
１２ａ  分岐通路
１３    保持部
１３ａ  背面部
１３ｂ  係合爪
１３ｃ  案内突起部
１５    インジケータ
１７    突出リブ
１８    内ケース
１８ａ  係合部材
１９    端子部
２０    イオン発生装置
２１、２２  カバー
２１ａ、２２ａ  支持部
２１ｄ、２１ｅ  孔部
２１ｆ  溝部
２２ｂ  切欠き部
２２ｄ  案内溝
２３    コネクタ
２４    イオン発生素子
２４ａ  端子
２５、２６  電極部
２５ａ、２６ａ  放電電極
２５ｂ、２６ｂ  誘電電極
２７    リード線
２８    ＩＤ発信部
３０    グリル
３３、３４  開口部
３７    クリップ
４０    制御部
４１    電源スイッチ
４２    開閉検知スイッチ
４３    電源部
４４    記憶部
４５    イオン発生装置用タイマー
４６    フィルター用タイマー
４７    通信部
４８    リモートコントローラ
【図１】
2011019782.tif 000003
【図２】
2011019782.tif 000004
【図３】
2011019782.tif 000005
【図４】
2011019782.tif 000006
【図５】
2011019782.tif 000007
【図６】
2011019782.tif 000008
【図７】
2011019782.tif 000009
【図８】
2011019782.tif 000010
【図９】
2011019782.tif 000011